(57)【要約】【課題】複数方向の振動を発生させ、様々なニーズに応じた美容効果を達することができる振動器を提供すること。【解決手段】底座体４と上板１を備え、上板１の下面中央部に幅方向に沿って設置した中心軸２が、底座体の上面中央部両側に設置した８字形リンクロッド８１，８２で支持され、底座体４の前部に設置した第一駆動ホイール６１が第一モータ９１に連結され、第一駆動ホイール６１に第一偏心軸７１の入力端部が固定され、第一偏心軸７１の出力端部は８字形リンクロッド８３を介して上板１の前部に連結され、底座体４の後部に設置した第二駆動ホイール６２が第二モータ９２に連結され、第二駆動ホイール６２に第二偏心軸７２の入力端部が固定され、第二偏心軸７２の出力端部はリンクロッド３を介して中心軸２に連結されている。【選択図】図２
0003149092.tif 000002
【実用新案登録請求の範囲】
【請求項１】
支持面に設置するための底座体と、上面に手足を置くための上板とを備え、該上板の下面の中央部に幅方向に沿って中心軸が配設され、該中心軸は、前記底座体の上面中央部の両側に設置された第一８字形リンクロッドと第二８字形リンクロッドにより支持され、前記底座体の前部に回動自在に設置された第一駆動ホイールが第一モータに連結され、前記第一駆動ホイールに第一偏心軸の入力端部が固定されると共に、前記第一偏心軸の出力端部は第三８字形リンクロッドを介して前記上板の前部に連結され、前記底座体の後部に回動自在に設置された第二駆動ホイールが第二モータに連結され、第二駆動ホイールに第二偏心軸の入力端部が固定されると共に、第二偏心軸の出力端部はリンクロッドを介して前記中心軸に連結されたことを特徴とする、振動器。
【請求項２】
前記上板の上面に脚載せパッドまたは手載せパッドを設置したことを特徴とする、請求項１に記載の振動器。
【請求項３】
前記上板１の周縁から下方向に延びるカバーを設け、該カバーにより前記上板より下方の部材を遮蔽してあることを特徴とする、請求項１に記載の振動器。
【考案の詳細な説明】
【技術分野】
【０００１】
本考案は、美容或いは運動用の振動器に関する。
【背景技術】
【０００２】
美容健康用の振動器は、非常に人気のある運動器械または健康器械の１つであって、人体手足の振動を通して全身を振動させ、人体の疲労を緩和したり、経脈を通じさせたり、美容に利用したりする。
特に現代女性にとって、自身のイメージは重要であり、完璧な身体曲線を有することを願う人が多い。
一般的な振動器は、モータを用いて振動を発生させ、局部振動、マッサージを利用して体内の余分な脂肪を除去し、疲労を取り除き、筋肉のしまりをよくすると共に、皮膚をよりつややかにきめ細かくするものである。しかしながら、市販されている美容装置は往々にして上下振動や左右振動（前後振動）など単一方向の振動しか発生せず、多様な美容上のニーズを満たすことはできない。
【考案の開示】
【考案が解決しようとする課題】
【０００３】
本考案が解決しようとする課題は、複数方向の振動を発生させ、様々なニーズに応じた美容効果を達することができる振動器を提供することにある。
【課題を解決するための手段】
【０００４】
本考案の振動器は、支持面に設置するための底座体と、上面に手足を置くための上板とを備え、該上板の下面の中央部に幅方向に沿って中心軸が配設され、該中心軸は、前記底座体の上面中央部の両側に設置された第一８字形リンクロッドと第二８字形リンクロッドにより支持され、前記底座体の前部に回動自在に設置された第一駆動ホイールが第一モータに連結され、前記第一駆動ホイールに第一偏心軸の入力端部が固定されると共に、前記第一偏心軸の出力端部は第三８字形リンクロッドを介して前記上板の前部に連結され、前記底座体の後部に回動自在に設置された第二駆動ホイールが第二モータに連結され、第二駆動ホイールに第二偏心軸の入力端部が固定されると共に、第二偏心軸の出力端部はリンクロッドを介して前記中心軸に連結されている。
【０００５】
前記上板の上面に脚載せパッドまたは手載せパッドを設置し、使用者の手足を位置決めすることができる。
前記上板の周縁から下方向に延びるカバーを設け、該カバーにより前記上板より下方の部材を遮蔽すると良い。
【考案の効果】
【０００６】
本考案によれば、両足または片足で上板上に立ったり、両手または片手で上板上を押した状態で、いずれかのモータ又は両方のモータを作動させることにより、上板を制御して上下振動、左右振動、或いは、両者を複合した振動を発生し、これにより、人体の必要な箇所に必要な振動を与えて、全身の血液循環を促進して新陳代謝を高め、多様な美容効果を達成することができる。
【考案を実施するための最良の形態】
【０００７】
本考案の振動器は、図１及び図２に示すように、地面、床等の支持面上に水平に設置するための底座体４と、上面に手足を置くための上板１とを備える。
上板１の下面の中央部には幅方向に沿って中心軸２が設置される。中心軸２は、底座体４の上面中央部の両側にそれぞれ設置された第一８字形リンクロッド８１及び第二８字形リンクロッド８２によって支持されている。８字形リンクロッドとは、二つの固定孔を比較的接近して設けた略８字状のリンクロッドであり、第一８字形リンクロッド８１及び第二８字形リンクロッド８２は、その一方の固定孔を介して底座体４に軸着されるとともに、他方の固定孔間に中心軸２が架設されている。
従って、上板１は、底座体４の上方において、第一８字形リンクロッド８１と第二８字形リンクロッド８２の一方の固定孔を通る幅方向に沿う軸を中心として回動可能に支持されている。
【０００８】
底座体４の上面の左前部には、第一軸受座体５１と第一モータ９１が設置されている。第一軸受座体５１に第一駆動ホイール６１が取り付けられ、第一駆動ホイール６１が第一ドライブベルト１１を介して第一モータ９１に連結されている。
また、第一駆動ホイール６１の中心には第一偏心軸７１の入力端部が固定され、第一偏心軸７１の出力端部、即ち、中心線に対し偏心して位置する出力端部は、第三８字形リンクロッド８３を介して上板１の下面前部に連結されている。
【０００９】
底座体４の上面の右後部には、第二軸受座体５２と第二モータ９２が設置されている。第二軸受座体５２に第二駆動ホイール６２が設けられ、第二駆動ホイール６２が第二ドライブベルト１２を介して第二モータ９２に連結されている。
また、第二駆動ホイール６２の中心に第二偏心軸７２の入力端部が固定され、第二偏心軸７２の出力端部、即ち、中心線に対し偏心して位置する出力端部はリンクロッド３を介して中心軸２に連結される。
【００１０】
本考案の振動器は、以下三種類の異なる振動を発生させることができる。
（１）上下振動：第一モータ９１を作動させて、第二モータ９２を停止させる。すると、第一モータ９１が第一ドライブベルト１１を動かして第一駆動ホイール６１を回転させ、第一駆動ホイール６１がこれに固定された第一偏心軸７１を回転させ、第一偏心軸７１が回転時に第三８字形リンクロッド８３を動かす。
第三８字形リンクロッド８３は上板１の下面前部に連結されており、上板１の下面中央部に設けた中心軸２は、停止した第二偏心軸７２に連結されたリンクロッド３により、前後の移動が牽制されるため、第三８字形リンクロッド８３によって上板１には上下方向の振動が発生する。
【００１１】
（２）前後振動：第二モータ９２を作動させて、第一モータ９１を停止させる。すると、第二モータ９２が第二ドライブベルト１２を動かして第二駆動ホイール６２を回転させ、第二駆動ホイール６２がこれに固定された第二偏心軸７２を回転させ、第二偏心軸７２が回転時にリンクロッド３を動かす。
リンクロッド３は上板１に設けた中心軸２に連結されており、上板１は、停止した第一偏心軸７１に連結された第三８字形リンクロッド８３により上下の移動が牽制されるため、上板１には前後方向の振動が発生する。
【００１２】
（３）上下、前後に往復する弧形運動：第一モータ９１と第二モータ９２を同時に作動させることにより、第一偏心軸７１及び第二偏心軸７２をそれぞれ回転させ、上板１を上下方向と前後方向に同時に移動させて、両者を複合した弧形の振動を発生させることができる。
なお、上板１の上面には、最も効果的な位置に手足を載せることができるように、脚載せパッドまたは手載せパッドを設置しても良い。
また、上板１の周縁から下方向に延びるカバーを設け、このカバーで上板１より下方の部材を遮蔽すると体裁がよい。
【図面の簡単な説明】
【００１３】
【図１】本考案の実施例を示す振動器の分解斜視図である。
【図２】本考案の実施例を示す振動器の側面図である。
【符号の説明】
【００１４】
１    上板
１１  第一ドライブベルト
１２  第二ドライブベルト
２    中心軸
３    リンクロッド
４    底座体
５１  第一軸受座体
５２  第二軸受座体
６１  第一駆動ホイール
６２  第二駆動ホイール
７１  第一偏心軸
７２  第二偏心軸
８１  第一８字形リンクロッド
８２  第二８字形リンクロッド
８３  第三８字形リンクロッド
９１  第一モータ
９２  第二モータ
【図１】
0003149092.tif 000003
【図２】
0003149092.tif 000004